(57)【要約】      （修正有）【課題】  設置されている位置を特定して不正アクセスを防止する宅内終端装置および通信システムを提供する。【解決手段】  電話機１８およびＣＡＴＶ網２の間に接続され、電話機１８による通話を可能とするＩＰ電話機能を有するケーブルモデム１を、一端がＣＡＴＶ網２に接続されたケーブル１０の他端が接続されるコネクタ部１１と、ケーブル１０がコネクタ部１１に初めて接続されると検出値Ｖとしてオンを出力し、ケーブル１０がコネクタ部１１から抜脱されると、その後、コネクタ部１１にケーブル１０が接続されても検出値Ｖとしてオフを出力するように構成された挿抜検出部１４と、挿抜検出部１４の検出値Ｖがオンの場合はモデム機能部１３のＩＰ電話機能を有効とし、検出値Ｖがオフの場合はモデム機能部１３のＩＰ電話機能を無効とする制御部１２とから構成する。【選択図】  図１
2006310899.tif 000002
【特許請求の範囲】
【請求項１】
電話機およびネットワークの間に接続され、前記ネットワークを介してセンターシステムと通信を行うことにより、前記電話機による通話を可能とするＩＰ電話機能を有する宅内終端装置であって、
一端が前記ネットワークに接続されたケーブルの他端が接続されるコネクタ部と、
前記ケーブルが前記コネクタ部に接続されていないときは検出値としてオフを出力し、前記ケーブルが前記コネクタ部に接続されると検出値としてオンを出力し、前記ケーブルが前記コネクタ部から抜脱されると、その後、前記コネクタ部に前記ケーブルが接続されても前記検出値としてオフを出力するように構成された挿抜検出部と、
前記電話機と前記コネクタ部との間に接続され、前記ＩＰ電話機能を有するモデム機能部と、
前記挿抜検出部の前記検出値がオンの場合は前記モデム機能部の前記ＩＰ電話機能を有効とし、前記検出値がオフの場合は前記モデム機能部の前記ＩＰ電話機能を無効とする制御部とから構成されたことを特徴とする宅内終端装置。
【請求項２】
前記制御部が、
前記センターシステムから前記ＩＰ電話機能の設定情報をダウンロードするように構成され、
前記モデム機能部の前記ＩＰ電話機能を有効とするときは前記設定情報を前記モデム機能部に設定し、
前記モデム機能部の前記ＩＰ電話機能を無効とするときは前記設定情報を前記モデム機能部に設定しないように構成されたことを特徴とする請求項１に記載の宅内終端装置。
【請求項３】
電話機およびネットワークの間に接続され、前記ネットワークを介してセンターシステムと通信を行うことにより、前記電話機による通話を可能とするＩＰ電話機能を有するモデム機能部、および、前記モデム機能部の前記ＩＰ電話機能を有効とするか無効とするかを制御する制御部を有する宅内終端装置と、
前記宅内終端装置と前記ネットワークとの間に接続され、前記宅内終端装置の認証を行う認証部を有する保安器とから構成され、
前記宅内終端装置の前記制御部が、前記認証部に対して認証処理を行い、認証されたときは前記モデム機能部の前記ＩＰ電話機能を有効とし、認証されなかったときは前記モデム機能部の前記ＩＰ電話機能を無効とするように構成されたことを特徴とする通信システム。
【請求項４】
前記保安器が、前記宅内終端装置と前記センターシステムとを接続および切断するスイッチ部を有し、
前記認証部が、前記認証処理を行う前は前記スイッチ部を切断し、前記認証処理が行われると前記スイッチ部を接続するように構成されたことを特徴とする請求項３に記載の通信システム。
【請求項５】
前記制御部が、
前記センターシステムから前記ＩＰ電話機能の設定情報をダウンロードするように構成され、
前記モデム機能部の前記ＩＰ電話機能を有効とするときは前記設定情報を前記モデム機能部に設定し、
前記モデム機能部の前記ＩＰ電話機能を無効とするときは前記設定情報を前記モデム機能部に設定しないように構成されたことを特徴とする請求項３または４に記載の通信システム。
【発明の詳細な説明】
【技術分野】
【０００１】
本発明は、ＣＡＴＶ網等を用いたブロードバンドネットワークを利用してインターネットへの接続環境を提供する宅内終端装置および通信システムに関し、特に詳細には、宅内終端装置が設置されている位置を特定して不正アクセスを防止する通信システムに関する。
【背景技術】
【０００２】
光ネットワークやＣＡＴＶネットワーク等のブロードバンドネットワークの普及により、インターネットを介して通話を行うＩＰ電話が普及してきている。このＩＰ電話に割り当てられる電話番号は通常「０５０」で始まる形式であるが、加入者固定電話からの移行等のために、０ＡＢ〜Ｊ番号（０３や０４５等から始まる１０桁の番号体系）をＩＰ電話で利用したいという要求がある。この０ＡＢ〜Ｊ番号を割り当てるためには、電気通信番号規則により固定電話並の通話品質と安定性を確保することや、電話番号と発信場所を対応させること等の基準を満たすことが必要である。
【０００３】
ＣＡＴＶネットワークは、テレビ番組を有線で加入者に提供するシステムであり、このネットワークを利用してインターネット接続サービスも提供されていることから、ＩＰ電話に用いることもできる。しかし、ＣＡＴＶネットワークに接続してインターネットを行うための宅内終端装置（ケーブルモデム）は簡単に着脱できるため、このケーブルモデムを別の場所に持っていって不正アクセスを行うことが可能であり、種々の不正アクセス対策が検討されている（例えば、特許文献１参照）。
【０００４】
【特許文献１】特開２００４−３２１３４号公報
【発明の開示】
【発明が解決しようとする課題】
【０００５】
しかしながら、ＣＡＴＶネットワークにおいては、局に設置されるセンターシステムと加入者毎に設置されるケーブルモデムとの接続関係が１：ｎであるため、同一のセンターシステムに接続される加入者間においては、ケーブルモデムが移動されても不正アクセスの検出が困難であるという課題があった。
【０００６】
本発明はこのような課題に鑑みてなされたものであり、設置されている位置を特定して不正アクセスを防止する宅内終端装置および通信システムを提供することを目的とする。
【課題を解決するための手段】
【０００７】
前記課題を解決するために、本発明に係る宅内終端装置（例えば、実施形態におけるケーブルモデム１）は、電話機およびネットワーク（例えば、実施形態におけるＣＡＴＶ網２）の間に接続され、ネットワークを介してセンターシステムと通信を行うことにより、電話機による通話を可能とするＩＰ電話機能を有するものであり、一端がネットワークに接続されたケーブルの他端が接続されるコネクタ部と、ケーブルがコネクタ部に接続されていないときは検出値としてオフを出力し、ケーブルがコネクタ部に初めて接続されると検出値としてオンを出力し、ケーブルがコネクタ部から抜脱されると、その後、コネクタ部にケーブルが接続されても検出値としてオフを出力するように構成された挿抜検出部と、電話機とコネクタ部との間に接続され、ＩＰ電話機能を有するモデム機能部と、挿抜検出部の検出値がオンの場合はモデム機能部のＩＰ電話機能を有効とし、検出値がオフの場合はモデム機能部のＩＰ電話機能を無効とする制御部とから構成される。
【０００８】
このような本発明に係る宅内終端装置において、制御部が、センターシステムからＩＰ電話機能の設定情報をダウンロードするように構成され、モデム機能部のＩＰ電話機能を有効とするときはこの設定情報をモデム機能部に設定し、モデム機能部のＩＰ電話機能を無効とするときはこの設定情報をモデム機能部に設定しないように構成されることが好ましい。
【０００９】
また、本発明に係る通信システム（例えば、実施形態におけるＣＡＴＶ通信システム３０）は、電話機およびネットワークの間に接続され、ネットワークを介してセンターシステムと通信を行うことにより、電話機による通話を可能とするＩＰ電話機能を有するモデム機能部、および、モデム機能部のＩＰ電話機能を有効とするか無効とするかを制御する制御部を有する宅内終端装置と、この宅内終端装置とネットワークとの間に接続され、宅内終端装置の認証を行う認証部を有する保安器とから構成される。そして、宅内終端装置の制御部が、認証部に対して認証処理を行い、認証されたときはモデム機能部のＩＰ電話機能を有効とし、認証されなかったときはモデム機能部のＩＰ電話機能を無効とするように構成される。
【００１０】
このような本発明に係る通信システムにおいて、保安器が、宅内終端装置とセンターシステムとを接続および切断するスイッチ部を有し、認証部が、認証処理を行う前はスイッチ部を切断し、認証処理が行われるとスイッチ部を接続するように構成されることが好ましい。
【００１１】
また、制御部が、センターシステムからＩＰ電話機能の設定情報をダウンロードするように構成され、モデム機能部のＩＰ電話機能を有効とするときはこの設定情報をモデム機能部に設定し、モデム機能部のＩＰ電話機能を無効とするときはこの設定情報をモデム機能部に設定しないように構成されることが好ましい。
【発明の効果】
【００１２】
本発明に係る宅内終端装置を以上のように構成すると、コネクタ部からケーブルが抜脱されると、以降はＩＰ電話機能が無効となるため、この宅内終端装置が別の場所に移動されて不正アクセスに用いられることを防止することができる。なお、ＩＰ電話機能を無効とするときは、モデム機能部に設定情報を設定しないように構成することにより、ＩＰ電話機能の不正利用を確実に防止することができる。
【００１３】
また、本発明に係る通信システムを以上のように構成すると、保安器の認証部により宅内終端装置を認証することができるため、この宅内終端装置が別の場所に移動されて不正アクセスに用いられることを防止することができる。
【００１４】
このとき、保安器にスイッチ部を設けることにより、センターシステムが応答することがなく、認証部と宅内終端装置の通信を確実に行うことができる。また、ＩＰ電話機能を無効とするときは、モデム機能部に設定情報を設定しないように構成することにより、ＩＰ電話機能の不正利用を確実に防止することができる。
【発明を実施するための最良の形態】
【００１５】
以下、本発明の好ましい実施形態についてＣＡＴＶ網を用いたインターネット接続環境を例にして、図面を参照して説明する。従来のＣＡＴＶサービスは、図１に示すように、ＣＡＴＶ網２から同軸ケーブル３が加入者宅４に引き込まれ、保安器５および分配機６を介してセットトップボックス７に接続され、ＣＡＴＶ局９から配信された番組をテレビ８で視聴するように構成されており、ＣＡＴＶ通信システム３０は、利用者宅４に設置されるケーブルモデム１とＣＡＴＶ局９に設置されるセンターシステム１９とから構成されている。
【００１６】
ケーブルモデム１は、分配器６で分岐されたケーブル１０が接続され、上述のＣＡＴＶネットワークを利用して、従来のＣＡＴＶサービスを受けながら高速なデータ通信（インターネット）を可能にするものであり、同軸ケーブル１０が接続されるコネクタ部１１、このケーブルモデム１を制御する制御部１２，インターネット接続のための処理をおこなうモデム機能部１３、コネクタ部１１に対する同軸ケーブル１０の挿抜を検出する挿抜検出部１４、インターネット接続を行う端末（パーソナルコンピュータ等）１７とＬＡＮ接続を行うＬＡＮポート１５、および、電話機１８と接続される電話ポート１６を有して構成される。
【００１７】
一方、ＣＡＴＶ局９にはＣＡＴＶ網２に接続されたセンターシステム１９が設置されており、ケーブルモデム１との間で信号を送受信して加入者の端末１７のインターネット２０への接続を行う。また、ケーブルモデム１のモデム機能部１３は、ＩＰ電話機能を有しており、ＳＩＰ（Session Initiation Protocol）により電話機１８との間でやり取りされる音声をインターネット上のパケットに変換して通話を実現している。なお、センターシステム１９は、ケーブルモデム１と通信を行うシステムであって、ＣＡＴＶ網２に対して変調信号の入出力を行ってケーブルモデム１と通信を行うケーブルモデム終端装置（ＣＭＴＳ）、このケーブルモデム終端装置に接続されてケーブルモデム１にＩＰアドレスを割り当てるＤＨＣＰサーバ、後述するモデム設定情報を管理するＴＦＴＰサーバ、あるいは、インターネット２０と接続するためのルータ装置等から構成される。
【００１８】
それではこのような構成のケーブルモデム１が設置される場所を特定できるようにする方法について、以下に説明する。なお、制御部１２は内部に不揮発性メモリ（例えば、フラッシュメモリ等）１２ａを有しており、後述する不正フラグＮや認証フラグＭを記憶するように構成されている。また、この不正フラグＮや認証フラグＭは、初期値（工場出荷時）は「０」に設定されているものとして説明する。
【実施例１】
【００１９】
第１実施例として、挿抜検出部１４によりコネクタ部１１に挿抜されるケーブル１０の状態を検出してＩＰ電話の機能を制限する方法について説明する。この挿抜検出部１４であるが、コネクタ部１１におけるケーブル１０の接続状態Ｕに応じて、その検出値Ｖが図２に示すような値になるように動作するものである。すなわち、初期状態（工場出荷時のようにケーブル１０がコネクタ部１１に未だ差し込まれていない状態）においては、検出値Ｖは「オフ」であり、ケーブル１０がコネクタ部１１に接続されると検出値Ｖは「オン」になり、その状態からケーブル１０が抜脱されると検出値Ｖは「オフ」となる。そして、これ以降、コネクタ部１１にケーブル１０を差し込んでも検出値Ｖは「オフ」のままであるように構成される。
【００２０】
制御部１２は、この挿抜検出部１４の検出値Ｖの値により、モデム機能部１３のＩＰ電話機能を有効とするか無効とするかを制御するように構成されており、その処理について図３を用いて説明する。ケーブルモデム１の電源が投入されると（ステップＳ１００）、制御部１２は、ＣＡＴＶ局９のセンターシステム１９にモデム設定情報を要求してダウンロードし、制御部１２で一時的に保持する（ステップＳ１０１）。なお、ケーブル１０がコネクタ部１１に接続されておらず、モデム設定情報がダウンロードできないときは、モデムの初期化処理を中止する（図３においては図示せず）。またモデム設定情報には、モデム機能部１３をＣＡＴＶ網２を介してインターネット接続するための設定情報と、ＩＰ電話機能を有効とするＳＩＰ設定情報とが含まれている。
【００２１】
次に、制御部１２は、挿抜検出部１４から出力される検出値Ｖを検査し（ステップＳ１０２）、検出値Ｖが「オフ」の場合は、ダウンロードしたモデム設定情報のうち、ＳＩＰ情報（ＩＰ電話機能を有効とする情報）を除いてモデム機能部１３の揮発性メモリ１３ａに設定する（ステップＳ１０３）。そして、制御部１２は、不揮発性メモリ１２ａの不正フラグＮを「１」に設定し（ステップＳ１０４）、センターシステム１９にケーブルモデム１の状態が「異常」であることを通知する（ステップＳ１０５）。
【００２２】
また、検出値Ｖが「オン」の場合は（ステップＳ１０２）、制御部１２は不揮発性メモリ１２ａの不正フラグＮを検査し（ステップＳ１０６）、その値が「０」でないときは、ダウンロードしたモデム設定情報のうち、ＳＩＰ情報を除いてモデム機能部１３の揮発性メモリ１３ａに設定する（ステップＳ１０３）。そして、制御部１２は、不揮発性メモリ１２ａの不正フラグＮを「１」に再設定し（ステップＳ１０４）、センターシステム１９にケーブルモデム１の状態が「異常」であることを通知する（ステップＳ１０５）。
【００２３】
一方、不正フラグＮが「０」である場合は（ステップＳ１０６）、ＳＩＰ情報を含むモデム設定情報をモデム機能部１３の揮発性メモリ１３ａに設定し（ステップＳ１０７）、センターシステム１９にケーブルモデム１の状態が「正常」であることを通知する（ステップＳ１０８）。
【００２４】
このように、挿抜検出部１４によりケーブル１０がコネクタ部１１に挿抜された状態を検出し、一旦差し込まれたケーブル１０が挿抜されたときは検出値Ｖを「オン」として出力しないようにすることにより、このケーブルモデム１が異なる場所に移動されて使用されることを防止することができる。また、この検出値Ｖの状態により、モデム機能部１３に対してＩＰ電話機能を有効にするＳＩＰ情報を設定するか否かを制御することにより、異常な状態であるときはＩＰ電話機能を利用できないようにすることができる。なお、挿抜検出部１４による制御部１２が異常を検出したとき（すなわち、検出値Ｖが「オフ」のとき）に、この情報を不揮発性メモリ１２ａに不正フラグＮを「１」として記憶することにより、挿抜検出部１４が故障しても、以降においては不正フラグＮの状態によりＳＩＰ情報が設定されず、ＩＰ電話機能が有効となることはない。
【００２５】
また、モデム機能部１３に設定されるモデム設定情報をモデム機能部１３に設けられた揮発性メモリ１３ａに記憶するように構成することにより、ケーブルモデム１の電源が切断されるとその情報は消去されるので、異なる場所にこのケーブルモデム１が移動されて使用されてもＳＩＰ情報等は再度上記の処理によりセンターシステム１９からダウンロードされ、状況に応じて設定されるか否かが判断されることになる。そのため、このケーブルモデム１の不正利用を防止することができる。ケーブルモデム１が異なる場所に移動されるときは、このケーブルモデム１の電源が一旦切断されるからである。
【００２６】
なお、加入者が誤ってケーブル１０をコネクタ部１１から抜脱したときは、保守要員等が挿抜検出部１４の検出値Ｖおよび不正フラグＮを初期状態に戻すことによりＩＰ電話機能を再度利用可能とすることができる。
【００２７】
また、不正フラグＮの状態、すなわち、ＳＩＰ情報の設定の有無をセンターシステム１９に通知することにより、ＣＡＴＶサービスを提供する事業者側でも加入者のケーブルモデム１の状態を監視することができる。
【実施例２】
【００２８】
次に、第２実施例として、保安器５の内部に認証部２１とスイッチ部２２とを設け、この認証部２１によりケーブルモデム１を認証するように構成した場合について説明する。保安器５は、図４に示すように、センターシステム１９に繋がるケーブル１０を断続するスイッチ部２２と、スイッチ部２２よりも利用者宅４側のケーブル１０に接続された認証部２１と、スイッチ部２２よりも外部側に接続された保安部２３とから構成され、スイッチ部２２の断続は認証部２１により制御される。この保安器５における保安部２３は、外部から流れ込む雷サージ等を遮断して、利用者宅４内の機器（セットトップボックス７やケーブルモデム１等）を保護するものである。なお、ケーブルモデム１の認証は、例えば、ケーブルモデム１に固有の識別番号（以下、「ＩＤ」と呼ぶ）が割り振られて不揮発性メモリ１２ａに記憶されており、また、認証部２１にも、この保安器５に繋がるケーブルモデム１のＩＤが記憶されており、ケーブルモデム１から送信されたＩＤとこの認証部２１に記憶されたＩＤとを比較し、その認証結果（ＩＤが一致したときに「認証ＯＫ」とし、不一致のときに「認証ＮＧ」とする）をケーブルモデム１に返信するように構成される。
【００２９】
まず、保安器５の動作について図５を用いて説明する。ケーブルモデム１の電源がオフされているときは、その状態が認証部２１により検出され、スイッチ部２２は切断された状態となっている。そして、ケーブルモデム１の電源が投入されると認証部２１はそれを検出し（ステップＳ２００）、ケーブルモデム１の制御部１２と通信を行い上述の方法によりケーブルモデム１の認証処理を行う（ステップＳ２０１）。このとき、スイッチ部２２は切断されているため、ケーブルモデム１の制御部１２からケーブル１０を媒体にして送信された認証情報（ＩＤ）は認証部２１においてだけ受信することができるので、外部に認証情報が漏洩する虞がなく、また、同じネットワークに繋がる他の利用者のケーブルモデム１から認証情報を受信することもない。
【００３０】
なお、この認証処理（ステップＳ２０１）において、ケーブルモデム１の電源投入を検出して所定の時間内にケーブルモデム１から認証情報（ＩＤ）が送信されないときには処理を終了してスイッチ部２２を切断のままにすることにより、認証機能を持たない不正なケーブルモデム１がケーブル１０に接続されてもインターネット接続できないように構成することも可能である（図５に破線で示す処理）。
【００３１】
そして、認証処理が終了すると、認証部２１はスイッチ部２２を接続し、ケーブルモデム１をＣＡＴＶ網２（センターシステム１９）と接続する。また、認証部２１は、ケーブルモデム１の電源が切断されたことを検出すると（ステップＳ２０３）、スイッチ部２２を切断する（ステップＳ２０４）。
【００３２】
それでは、この保安器５によりケーブルモデム１の認証を行ってモデム機能部１３のＩＰ電話機能を有効とするか無効とするかを制御する方法について図６および図７を用いて説明する。ケーブルモデム１の電源が投入されると（ステップＳ２００）、制御部１２は、不揮発性メモリ１２ａに記憶されている認証情報（ＩＤ）を保安器５の認証部２１に送信し、認証要求処理を行う（ステップＳ２０５）。そして、認証部２１により認証処理（ステップＳ２０１）を行い、この認証部２１から送信された認証結果を受信し、「認証ＯＫ」のときは不揮発性メモリ１２ａの認証フラグＭに「０」を設定し、「認証ＮＧ」のときは認証フラグＭを「１」に設定する（ステップＳ２０６）。そして、制御部１２は、ＣＡＴＶ局９のセンターシステム１９にモデム設定情報を要求してダウンロードする（ステップＳ２０７）。
【００３３】
次に制御部１２は、不揮発性メモリ１２ａに記憶された認証フラグＭを検査し（ステップＳ２０８）、この認証フラグＭが「０」でないときは、ダウンロードしたモデム設定情報のうち、ＳＩＰ情報を除いてモデム機能部１３の揮発性メモリ１３ａに設定し（ステップＳ２０９）、センターシステム１９にケーブルモデム１の状態が「異常」であることを通知する（ステップＳ２１０）。一方、認証フラグＭが「０」であるときは、ＳＩＰ情報を含むモデム設定情報をモデム機能部１３の揮発性メモリ１３ａに設定し（ステップＳ２１１）、センターシステム１９にケーブルモデム１の状態が「正常」であることを通知する（ステップＳ２１２）。
【００３４】
このように、保安器５に認証部２１とスイッチ部２２とを設け、接続されるケーブルモデム１の認証情報（ＩＤ）をこの認証部２１で認証させることにより、正しいケーブルモデム１が加入者宅４に設置されているか否かを検出してケーブルモデム１において、ＩＰ電話機能を有効とするか無効とするかを制御することができる。なお、保安器５は通常、加入者宅４の外側に設置されており、第三者が容易に開けられないように封印等がされており、この認証部２１等が不正操作されることができないように構成されている。なお、この第２実施例の場合は、図１に示す挿抜検出部１４は不要である。
【００３５】
また、この第２実施例においても、認証フラグＭの状態、すなわち、ＳＩＰ情報の設定の有無をセンターシステム１９に通知することにより、ＣＡＴＶサービスを提供する事業者側でも加入者のケーブルモデム１の状態を監視することができる。
【実施例３】
【００３６】
第３実施例は、上述の第１実施例による挿抜検出部１４によるケーブル１０のコネクタ部１１に対する挿抜の状態の検出と、第２実施例による保安器５に設けられた認証部２１による認証の結果とを組み合わせることにより、モデム機能部１３のＩＰ電話機能を有効とするか無効とするかを制御する方法であり、図８を用いて説明する。なお、ケーブルモデム１の構成は第１実施例で説明した図１の構成と同様であり、保安器５の動作、並びに、保安器５、センターシステム１９およびケーブルモデム１間の情報のやり取りは第２実施例で説明した図４〜図６と同様である。
【００３７】
ケーブルモデム１の電源が投入されると（ステップＳ３００）、制御部１２は、不揮発性メモリ１２ａに記憶されている認証情報（ＩＤ）を保安器５の認証部２１に送信し、認証要求処理を行う（ステップＳ３０１）。そして、認証部２１で認証処理が行われ（ステップＳ２０１）、認証部２１から送信された認証結果を受信し、「認証ＯＫ」のときは不揮発性メモリ１２ａの認証フラグＭに「０」を設定し、「認証ＮＧ」のときは認証フラグＭを「１」に設定する（ステップＳ３０２）。そして、制御部１２は、ＣＡＴＶ局９のセンターシステム１９にモデム設定情報を要求してダウンロードする（ステップＳ３０３）。
【００３８】
次に、制御部１２は、不揮発性メモリ１２ａに記憶された認証フラグＭを検査し（ステップＳ３０４）、この認証フラグＭが「０」のときは挿抜検出部１４から出力される検出値Ｖを検査する（ステップＳ３０５）。そして、検出値Ｖが「オン」のときは不揮発性メモリ１２ａに記憶された不正フラグＮを検査し（ステップＳ３０６）、この不正フラグＮが「０」のときは、制御部１２は、ダウンロードしたＳＩＰ情報を含むモデム設定情報をモデム機能部１３の揮発性メモリ１３ａに設定し（ステップＳ３０７）、センターシステム１９にケーブルモデム１の状態が「正常」であることを通知する（ステップＳ３０８）。
【００３９】
一方、認証フラグＭの値が「０」でないとき（ステップＳ３０４）、検出値Ｖの状態が「オフ」のとき（ステップＳ３０５）、あるいは、不正フラグＮの値が「０」でないときは、いずれも、制御部１２は、ダウンロードしたモデム設定情報からＳＩＰ情報を除いてモデム機能部１３の揮発性メモリ１３ａに設定し（ステップＳ３０９）、不揮発性メモリ１２ａの不正フラグＮを「１」に設定し（ステップＳ３１０）、センターシステム１９にケーブルモデム１の状態が「異常」であることを通知する（ステップＳ３１１）。
【００４０】
このように、挿抜検出部１４によるケーブル１０のコネクタ部１１に対する挿抜の状態の検出と、保安器５に設けられた認証部２１による認証の結果とを組み合わせることにより、ケーブル１０が挿抜されたか否かを検出するとともに、認証情報（ＩＤ）による認証も行うことができるため、より確実にケーブルモデム１を他の場所に移動させて不正アクセスを行うことを防止することができる。
【００４１】
なお、以上の第１〜第３実施例においては、ＣＡＴＶ網２に接続されたセンターシステム１９とケーブルモデム１によるインターネット接続においてＩＰ電話機能を適用する場合について説明したが、本発明に係る宅内終端装置および通信システムがこの実施例に限定されることはない。例えば、光ネットワークに接続される宅内終端装置（回線終端装置）にも適用することが可能である。また、以上の実施例では、挿抜検出部１４の検出値Ｖが「オフ」の場合や、保安器５の認証部２１から「認証ＯＫ」が得られない場合にはモデム機能部１３のＩＰ電話機能を無効とするように構成した場合について説明したが、このような場合に、０ＡＢ〜Ｊ番号体系のＩＰ電話機能を無効とし、０５０番号体系のＩＰ電話機能を有効とするように構成することも可能である。
【図面の簡単な説明】
【００４２】
【図１】ＣＡＴＶ通信システムの構成を示すブロック図である。
【図２】挿抜検出部の動作を示す説明図である。
【図３】第１実施例における制御部の処理を示すフローチャートである。
【図４】第２実施例における保安器の構造を示すブロック図である。
【図５】第２実施例における認証部の処理を示すフローチャートである。
【図６】第２実施例におけるケーブルモデム、認証部およびＣＭＴＳの情報のやり取りを示すフロー図である。
【図７】第２実施例における制御部の処理を示すフローチャートである。
【図８】第３実施例における制御部の処理を示すフローチャートである。
【符号の説明】
【００４３】
１  ケーブルモデム（宅内終端装置）
２  ＣＡＴＶ網（ネットワーク）
５  保安器
１０  ケーブル
１１  コネクタ部
１２  制御部
１３  モデム機能部
１４  挿抜検出部
１８  電話機
１９  センターシステム
２１  認証部
２２  スイッチ部
３０  ＣＡＴＶ通信システム（通信システム）
Ｖ  検出値
【図１】
2006310899.tif 000003
【図２】
2006310899.tif 000004
【図３】
2006310899.tif 000005
【図４】
2006310899.tif 000006
【図５】
2006310899.tif 000007
【図６】
2006310899.tif 000008
【図７】
2006310899.tif 000009
【図８】
2006310899.tif 000010